(57)【要約】  歯科補綴物及び歯科補綴物の形成方法。補綴物は、ポンティック加工歯と、加工歯によって満たされる間隙の周りの支台歯の表面に沿う抱持具と、を備えている。補綴物の取付けには支台歯の損傷或いは改造を必要としない。【選択図】図１
2008529741.tif 000002
【特許請求の範囲】
【請求項１】
ポンティック加工歯と、該加工歯の各側部から突出する抱持具とを備えている、歯科補綴物。
【請求項２】
前記加工歯の各側部における前記抱持具は、支台歯の表面形状に一致する、請求項１に記載の歯科補綴物。
【請求項３】
前記歯科補綴物は、複合樹脂からなる、請求項１に記載の歯科補綴物。
【請求項４】
前記歯科補綴物は、混成複合樹脂からなる、請求項１に記載の歯科補綴物。
【請求項５】
前記混成複合樹脂はメタクリル樹脂を基材としている、請求項４に記載の歯科補綴物。
【請求項６】
歯科用ブリッジであって、ポンティック加工歯と、前記歯科用ブリッジを歯の唇側又は舌側表面に固定するための、側方の少なくとも１つの側方アームとを備えている、歯科用ブリッジ。
【請求項７】
前記歯科用ブリッジは、該歯科用ブリッジを歯の唇側又は舌側表面に固定するための少なくとも２つの側方アームを備えている、請求項６に記載の歯科用ブリッジ。
【請求項８】
前記歯科用ブリッジは、該歯科用ブリッジを歯の唇側又は舌側表面に固定するための少なくとも３つの側方アームを備えている、請求項６に記載の歯科用ブリッジ。
【請求項９】
前記歯科用ブリッジは複合樹脂からなる、請求項６に記載の歯科用ブリッジ。
【請求項１０】
支台歯の各部分を実質的に除去すること無く、少なくとも１つの欠損歯と置き換えるための歯科用ブリッジを提供する方法であって、
少なくとも１つの側方アームを有するポンティック加工歯を提供する工程と、
唇側及び／又は舌側表面に、少なくとも１つの側方アームと歯の材料を接合するための接合剤を含む、歯科用調整物を形成する工程と、
前記側方アームを前記接合剤に接触させて、前記複合された側方アームと歯が一体構造を形成するように化学的に接合される工程と、から成る方法。
【請求項１１】
前記歯科用ブリッジは複合樹脂からなる、請求項１０に記載の方法。
【請求項１２】
前記歯科用ブリッジは混成複合樹脂からなる、請求項１０に記載の歯科用ブリッジ。
【請求項１３】
前記混成複合樹脂はメタクリル樹脂を基材としている、請求項１２に記載の歯科用ブリッジ。
【請求項１４】
１つ又は複数の歯の一般的な形状を有する歯科用ブリッジであって、該歯科用ブリッジと連続し、該歯科用ブリッジに隣接し、該歯科用ブリッジと同じ材料で形成されている、突出する側方アームを有しており、前記側方アームは、前記歯科用ブリッジが挿入される間隙の各側における歯の唇側及び／又は舌側表面と接触することによって前記歯科用ブリッジを固定することができる、歯科用ブリッジ。
【請求項１５】
前記歯科用ブリッジは複合樹脂からなる、請求項１４に記載の歯科用ブリッジ。
【請求項１６】
前記歯科用ブリッジは混成複合樹脂からなる、請求項１４に記載の歯科用ブリッジ。
【請求項１７】
前記混成複合樹脂はメタクリル樹脂を基材としている、請求項１６に記載の歯科用ブリッジ。
【発明の詳細な説明】
【技術分野】
【０００１】
本発明は、歯科学に関する。具体的には、本発明は、歯科用補綴術及び歯科用ブリッジに関する。  
【背景技術】
【０００２】
歯科補綴物は周知である。一般的な歯科補綴物は歯科用ブリッジである。歯科用ブリッジ、或いは部分義歯は、「ポンティック加工歯」として知られる単数又は複数の人工歯を備えており、この加工歯は、歯列弓の線に沿って延び、各側部を「支台歯」として知られている適切に前処理された健全な生歯によって支持されている。ポンティック加工歯を支台歯に固定するための、多種多様な接合具が知られている。
【０００３】
支台歯は、通常は医師によって前処理される必要があり、或る方法では、平行な側面を持つ支柱にまで削られる。歯科用ブリッジは、技師によって、加工歯の両側の支台歯に正確に被せたキャップを使って構築され、ブリッジは、歯科用セメントで固定される。この方法は、使用中に加工歯と支台歯に強い曲げ応力が発生し、支台歯が損傷し易く、或いは歯科用セメントが剪断され、ブリッジが外れる可能性があるという大きな欠点を有している。先ず第１に、この様な曲げ応力は、嵌め合いの不完全さによって発生する可能性があり、仮にこれが回避された場合でも、使用中に、及び時間の経過と共に、支台歯の動きが相当な応力を引き起こす可能性がある。勿論、特に重要なのは咀嚼によって加えられる咬合負荷であり、歯科補綴物に、応力遮断能力を有する、即ち曲げ応力を軽減する支持を提供するように、多くの提案がなされてきた。
【０００４】
ポンティック加工歯と支台歯の間の相対的な垂直方向の動きを許容する歯冠を、支台歯の上に使用し、直接的咬合圧力が加工歯の下の歯肉に伝達されるようにするという装置が提案（米国特許第１，６６４，４３３号）されてきたが、これは、曲げ及び捩り歪が支台歯に伝達されるのを回避することにはならない。
【０００５】
その様なブリッジを形成する手順が、図１−３に示されている。図１では、一対の歯が、その間の欠損歯と共に示されている。第１の工程は、歯冠を受け入れるための支台歯を前処理することに関わっている。健康な歯の組織が、図２に示されている歯の形状とするため、歯から取り除かれる。次に、ブリッジを取り付けることができる。通例、ブリッジは金属製で、隣接する歯それぞれを覆う歯冠と、歯の間の空間に取り付けられるポンティック加工歯を備えている。ブリッジは、それまで欠損歯が占めていた空間に加工歯が支持されるように、支台歯を覆う歯冠をセメントで固めて固定される。図３は、ブリッジが取付けられた後の歯の断面図を示す。この図は、歯の咬合わせ面と歯肉の間の中間で切ったものである。
【０００６】
この方法では、不都合なことに健康な歯を改造する必要がある。この様な改造には、患者にとって非常に不快な研削が含まれている。更に、支台歯の強度は改造によって著しく低下する。従って、加工歯或いは支台歯そのものに加えられる相当な力が、深刻な損傷を引き起こすことも考えられる。その上、金属製のブリッジは、患者に精神的外傷を引き起こす可能性もある。
【発明の開示】
【発明が解決しようとする課題】
【０００７】
従って、歯科補綴物、及び健康な歯の構造を除去する必要のない歯科補綴物の形成方法に対する必要性が存在する。本発明は、支台歯に損傷を与える必要が無く、精神的外傷を引き起こすことの無い、歯科補綴物及びそれを形成する方法を提供するものである。
【課題を解決するための手段】
【０００８】
本発明の一つの実施形態は、歯科補綴物である。歯科補綴物は、ポンティック加工歯と、その各側部から突出する一組の側方アーム又は「抱持具」を含んでいる。補綴物は、２つの生歯或いは人工歯の間にある少なくとも１本の欠損歯に起因する間隙を埋めるためのものである。加工歯の各側部上の抱持具は支台歯の表面形状に沿っている。
【０００９】
本発明の別の実施形態は、歯科補綴物を形成する方法である。本方法は、２つの生歯或いは人工歯の間にある少なくとも１本の欠損歯に起因する間隙を埋める工程を含んでいる。間隙は混成複合樹脂で満たされる。樹脂は２つの歯の間と、２つの歯の少なくとも一部分の周囲に提供される。２つの歯の周囲にある部分は、それらの歯の表面形状に一致している。ブリッジをセメントで固定するために、歯の接合剤が支台歯に使用される。
【００１０】
本発明のこの他の特徴及び利点は、以下の詳細説明を、例を用いて本発明の原理を図解する添付図面を参照しながら読むことにより明らかとなるであろう。
【発明を実施するための最良の形態】
【００１１】
平易且つ解り易くするため、様々な代表的実施形態を参照しながら本発明の原理を説明する。ここでは本発明の好適な実施形態を具体的に開示しているが、当業者であれば、同じ原理が、他の構成及び方法に等しく適用可能で且つ関係付けることができ、その様な如何なる変更も、本発明の範囲から逸脱しない修正の範囲内にあることを容易に理解できるであろう。本発明の開示されている実施形態について説明する前に、本発明は、言うまでもなくこの他の実施形態を取ることもできるので、適用に際して、ここに示す如何なる特定の実施形態の詳細事項にも制限されないものと理解されたい。ここで使用する用語は、説明を目的としており、制限を課すためのものではない。更に、特定の方法を、ここでは特定の順序で、数々の例を交えながら提示されている特定の工程を参照しながら説明しているが、それらの工程は、当業者には理解できるように、どの様な順序で行ってもよく、本方法は、ここに開示している工程の特定の構成に制限されるものではない。
【００１２】
本発明の一実施形態の歯科補綴物は、ポンティック加工歯（ｐｏｎｔｉｃ）と、該加工歯の各側部から突き出た二組の側方アーム又は「抱持具（ｈｕｇｇｅｒｓ）」とを備えている。加工歯は、２つの歯の間の間隙を埋め、抱持具は、２つの歯の形状に沿っている。補綴物は、混成複合樹脂で形成されている。歯用の接合剤が、補綴物を所定の位置に固定するために用いられている。
【００１３】
混成複合樹脂は、メタクリル樹脂を基材とするものが好ましい。代表的な混成複合樹脂は、デンマット（Ｄｅｎ−Ｍａｔ）社製のトゥルーバイタリティ（Ｔｒｕｅ  Ｖｉｔａｌｉｔｙ）である。しかしながら、どの様な歯科用複合材でも使用可能である。
【００１４】
歯の接合剤は、溶剤ベースの架橋性アクリル樹脂が好ましい。代表的な歯の接合剤は、デンマット（Ｄｅｎ−Ｍａｔ）社製のテニュア（Ｔｅｎｕｒｅ）（登録商標）である。しかしながら、どの様な歯科用接合剤でも使用可能である。
【００１５】
本発明の一実施形態の歯科補綴物を形成する方法は、欠損歯に起因する間隙のいずれかの側で、当該間隙に隣接する２つの歯の少なくとも一部に歯科用接合剤を使用する工程を含んでいる。その様な間隙と支台歯（ａｂｕｔｍｅｎｔ  ｔｅｅｔｈ）は、歯科用接合剤が塗布される前の状態である図１に示されている。次に、歯科用複合材が、間隙の中及び歯の少なくとも一部分の周囲に設けられる。歯科用複合材は、歯の間の間隙を埋め、間隙の各側の抱持具を含んでいる。間隙を塞ぐ部分はポンティック加工歯又は人工歯を形成する。抱持具は支台歯の表面形状に一致する。歯科用接合剤は、歯科用複合材が接する支台歯の部分にのみ塗布されるのが好ましい。図４は、歯科用複合材使用後の、歯と間隙の断面図を示す。この図は、歯の噛み合わせ面と歯肉の間の中間を切ったものである。
【００１６】
患者の口内に歯科用ブリッジを装着するに先立って、支台歯の露出面には、この様な方法に効果的であることが当業者に知られているいかなる酸をも用いて、酸エッチング（ａｃｉｄ−ｅｔｃｈｅｄ）を施すことができる。支台歯の露出面には、研磨を施すことができる。次いで、前処理された支台歯に抱持具を固定することによって、歯科用ブリッジが患者の口内に装着される。抱持具は、歯科用複合材セメントを用いて、支台歯に取り付けることができる。
【００１７】
以上、特定の代表的な実施形態を参照しながら本発明を説明してきたが、当業者であれば、本発明の範囲から逸脱することなく、記載されている本発明の実施形態に様々な変更を施すことができるであろう。ここで使用されている用語と説明は、例証のみを目的としており、何ら制限を課するものではない。特に、実施例を用いて本発明を説明してきたが、様々な構成や方法を使って、ここに記載した発明の概念を実現することができる。様々な用語と特定の実施形態を用いて本発明を説明し開示してきたが、本発明の範囲は、これによって制限されることを意図してはおらず、又その様に見なされるべきではなく、ここでの教示で示唆される様な他の修正又は実施形態は、特許請求の範囲に示す領域と範囲の中に収まる限り、特に留保されている。当業者には理解できるように、これら及びその他の変更は、特許請求の範囲とその等価物で定義される本発明の範囲内に入るであろう。
【図面の簡単な説明】
【００１８】
【図１】２つの支台歯の間の欠損歯に起因する間隙を示す。
【図２】先行技術によるブリッジの形成に際して前処理された支台歯を示す。
【図３】先行技術によるブリッジが形成された後の歯の断面図である。
【図４】２つの支台歯の間の、本発明の実施形態による歯科補綴物の断面図である。
【図１】
2008529741.tif 000003
【図２】
2008529741.tif 000004
【図３】
2008529741.tif 000005
【図４】
2008529741.tif 000006
【国際調査報告】
2008529741.tif 000007
2008529741.tif 000008
2008529741.tif 000009